(57)【要約】【課題】濡れた雨傘の布地が肌に触れると不愉快に感じることがある。また濡れた雨傘を座席に立掛けた場合、床が滑り傘が転倒する場合がある。本発明は、これらの不愉快な点を軽減する。【解決手段】濡れた布地の不愉快を軽減するために、裏地の一部に防水加工を施しかつ親骨に沿って一部を開口し、一端に防水性のカバーが付いた防水性シートを、カバー部と反対側の端を布地の開口部を通して親骨または裏地に固定する。また傘の転倒を抑制するために、布地または防水性シートの表面にフック状の硬質繊維を植毛した布地を貼付する。【選択図】図１
2007167377.tif 000002
【特許請求の範囲】
【請求項１】
裏地の一部に防水加工を施しかつ親骨に沿って一部を開口してある布地と、布地の開口部を覆う大きさを有する防水性カバーを一端に配置した防水性シートを有し、防水性シートのカバー部を布地の表面に位置させ、防水シートのカバー部と反対側の端を布地の開口部を通して親骨または裏地に固定した構造を特徴とする雨傘。
【請求項２】
防水性シートの表面にフック状の硬質繊維を配備したことを特徴とする請求項１の雨傘。
【請求項３】
布地の表面にフック状の硬質繊維が植毛された布地を貼付したことを特徴とする雨傘。
【発明の詳細な説明】
【技術分野】
【０００１】
本発明は、雨傘に関し、特に雨に濡れた布地の不愉快を軽減し、かつ座席に立てかけたときの転倒を抑制する雨傘の構造に関する。
【背景技術】
【０００２】
雨に濡れた布地の不愉快を軽減する雨傘としては、布地の端につばのような布地を添付したものや、布地の表面に防水加工した布地を添付したものがある。また、座席に立てかけたときの転倒を抑制する雨傘としては、石突にゴム製キャップを取り付けたものがある。
【特許文献１】特許公開２００１−１８６９１２号公報。
【非特許文献１】実用新案公開平６−５７２２０号公報。
【特許文献２】特許公開平８−２９９０３９号公報。
【発明の開示】
【発明が解決しようとする課題】
【０００３】
特許文献１にみるように布地の端につばのような布地を添付した雨傘では、つばが大型となり取り扱いが不便であると同時に、自動的につばを開閉する機構を備えたとしても、つばが濡れている場合には、つばを開くときにつばに付着した雨滴が飛散し周囲を濡らす可能性がある。
【０００４】
また実用新案文献１に見るように布地の表面に防水加工した布地を添付した雨傘では、更になんらかの防水処置を施さなければ傘の布地と表面に添付した布地の隙間に雨が浸透し、豪雨の場合防水加工を施した布地の裏面が濡れてしまう可能性があり、特に上ろくろ近傍からの雨滴の侵入を防止することが課題となる。
【０００５】
また特許文献２に見るように石突にゴム製キャップを取り付けた雨傘は、ゴムの劣化や目詰まりまたは油分の付着などによりゴム製キャップの摩擦力が低下し、転倒防止効果が低下する可能性がある。
【課題を解決するための手段】
【０００６】
雨傘の布地の濡れに対する不快感を軽減する手段としては、まず布地の一部に防水性のシートを粘着するなどして防水加工を施し、防水加工を施した布地の近傍に親骨に沿って開口部を設け、それとは別に布地の開口部を覆う大きさと形をした防水性のカバーが付いた防水シートを用意し、この防水シートのカバー部とは反対側の端を布地の開口部を通して、傘の裏側にある親骨に固定する。
【０００７】
雨傘の転倒を抑制する手段としては、上述の防水シートの表面または布地の表面にフック状の硬質繊維が植毛された布地を貼付する。
【発明の効果】
【０００８】
請求項１を施した雨傘は、防水シートが親骨と親骨の間の布地程度の大きさでありコンパクトであり、傘をたたむ時に防水シートのカバー部を摘んで布地の裏側に格納された防水シートを引き出す方式のため、勢いよく引き出さなければ雨滴が飛散することはない。
【０００９】
また、防水シートは防水処理された布地の裏側に格納され、かつ布地の開口部は防水性のカバーにより覆われるため格納された防水シートの表面が濡れることはない。
【００１０】
請求項２または３を施した雨傘を電車の座席などに立てかけた場合、フック状の硬質繊維が座席との間に摩擦力をもたらし、これにより雨傘がずり落ちるのを抑制する。
【００１１】
またフック状の硬質繊維は、地面と接触することが無いため、劣化しづらくその効果が持続する。
【発明を実施するための最良の形態】
【００１２】
図１に請求項１の最良の形態を斜め下から見た図を示す。
【００１３】
図１中、１は布地であり、２は手元であり、３は玉留であり、４は中棒であり、５は露先であり、６は受骨であり、７は親骨であり、８は上ろくろであり、９は下ろくろであり、１０は防水加工した布地であり、１１はグリップであり、１２はカバーであり、１３は布地１０の開口部であり、１４は防水性シートでる。
【００１４】
図１中の防水加工した布地１０は、通常の布地１の裏側にポリエチレンのシートを粘着する。
【００１５】
防水性シート１４の一端は親骨７に固定されており、もう一端は防水加工した布地１０の開口部１３を通って防水加工した布地１０の表面に露出し、カバー１２と接続している。
【００１６】
図２に、請求項１の最良の形態を斜め上から見た図を示す。
【００１７】
図２中、１６は石突であり、１８aおよび１８bは防水性シート１４の上辺と下辺を防水加工した布地１０を透かして見たときの想像線であり、１５は凸型スナップボタンであり、１７凹型スナップボタンが付いたストラップである。
【００１８】
図３に、防水性シート１４およびカバー１２を取り出した図を示す。
【００１９】
図３において、カバー１２はポリエチレンなどの防水性のある軟質の素材でできており、防水性シート１４の一辺に密着している。
【００２０】
またカバー１２には、グリップ１１が接続されている。
【００２１】
グリップ１１には凸型スナップボタン１９が装備されており、防水性シート１４の表面にはそれと対をなす凹型スナップボタン２０が装備されている。
【００２２】
図４に、防水性シート１４およびカバー１２の断面図を示す。
【００２３】
図４に見るように、カバー１２は下向きに開いた傘のような形をしており、開口部１３からの雨の進入を防止する。
【００２４】
図５にカバー１２を取り外した請求項１の最良の形態を斜め上から見た図を示す。
【００２５】
図５中において、２１は開口部１３の縁を強化する縁止めである。
【００２６】
図６に縁止め２１の断面図を示す。
【００２７】
図６中、２１aおよび２１bは縁止め２１の断面である。
【００２８】
縁止め２１は、角が丸いことで防水性シート１４との摩擦を低減し、厚みがあることで開口部１３への雨水の浸入を阻止し、変形しないことで防水加工した布地１０の張力を保ち、開口部１３が開き過ぎないようにする。
【００２９】
このため縁止め２１は、アルミなどの軽金属か硬質のプラスチックのように変形に強い素材でできている。
【００３０】
請求項１の使用方法を図７を用いて以下に説明する。
【００３１】
まず傘を閉じたら石突１６を地面につけ傘を立て、玉留３で露先５を留める。
【００３２】
次に手元２とグリップ１１を持ち、防水性シート１４を引き出す。
【００３３】
最後にグリップ１１を持ちながら手元２を右に回転させ防水性シート１４を傘に巻きつけ、グリップ１１に装備した凸型スナップボタン１９を防水性シート１４の表面に装備された凹型スナップボタン２０に合わせて留める。
【００３４】
防水性シート１４の表面は、防水加工した布地１０とカバー１２により雨天時も乾燥が保たれるため、図７のように防水性シート１４を傘の表面に巻きつけた場合、大部分の表面を乾燥した状態に保つことができる。
【００３５】
また濡れた傘を傘立てに立てる場合は、防水性シート１４の表面が濡れるのを防止するために、防水性シート１４を裏側に格納したまま凸型スナップボタン１５と凹型スナップボタンが付いたストラップ１７で傘を束ねる。
【００３６】
また図８に見るように、防水性シート１４の表面に布地２２を付着することもできる。
【００３７】
布地２２を防水性シート１４の表面に付着することにより、防水性シート１４を巻きつけたときの肌触りをさらに良好なものにすることができる。
【００３８】
また布地２２を布地１と同じデザインにすることにより、防水性シート１４を巻きつけたときのデザインの調和を保つこともできるし、布地１と違う柄にして異なるデザインの組み合わせを楽しむこともできる。
【００３９】
図９を用いて請求項２および３の作用を説明する。
【００４０】
図９中、２３は床面であり、２４は座席であり、２５は傘の重心に加わる重力であり、２６は重力２５の傘に垂直な成分であり、２７は重力２５の傘に平行な成分であり、２８は座席２４に生じた重力２５の傘に垂直な成分２６の抗力であり、２９は床面２３に生じた重力２５の傘に垂直な成分２６の抗力であり、３０は座席２４に生じた摩擦力であり、３１は床面２３に生じた摩擦力であり、３２は床面２３を押す力であり、３３は床面２３を押す力３２の床面２３に平行な成分であり傘を滑らす力である。
【００４１】
傘には常に重力２５が働いているが、この重力２５は、傘を傘に対し垂直に移動する働きを持つ重力２５の傘に垂直な成分２６と傘を傘に対し平行に移動する働きを持つ重力２５の傘に平行な成分２７に分けることができる。
【００４２】
傘を座席２４に立掛けた場合、重力２５の傘に垂直な成分２６に応じ、座席２４には抗力２８が生じ、床面２３には抗力２９が生じる。
【００４３】
抗力２８と２９は、その和が重力２５の傘に垂直な成分２６と等しくかつ重心の周りの力のモーメントが拮抗するように発生するため、傘は傘に垂直方向には移動することはない。
【００４４】
一方重力２５の傘に平行な成分２７に応じ、座席２４および床面２３に摩擦力３０と３１が生じる。
【００４５】
摩擦力３０と３１の大きさは、接触する面の材質と垂直抗力の大きさに依存するため、重力２５の傘に平行な成分２７に拮抗する大きさになるとは限らない。
【００４６】
例えば、重力２５の傘に平行な成分２７より座席２４に生じた摩擦力３０が小さい場合には床面２３を押す力３２が生じ、その床面２３に平行な成分３３が傘を滑らす力となる。
【００４７】
この傘を滑らす力３３が床面２３に生じた摩擦力３１と等しければ、傘はずり落ち転倒することはない。
【００４８】
従来技術は、石突１６と床面２３の最大摩擦力を増加させるために石突にゴム製キャップを取り付けていたが、経年変化によりゴムが劣化したりゴムの表面に油膜ができるなどして摩擦力３１が低下すると、傘はずれ落ち転倒することになる。
【００４９】
しかしながら傘と座席の間に生じる最大摩擦力が重力２５の傘に平行な成分２７より大きい場合、摩擦力３０と重力２５の傘に平行な成分２７は拮抗し、たとえ床面２３に生じた摩擦力３１がゼロの場合であっても傘はずり落ち転倒することはない。
【００５０】
図１０に請求項２の最適の形態の拡大図を示す。
【００５１】
図１０中、３４はフック状の硬質繊維であり、布地２２に植毛されている。
【００５２】
図１１に請求項２を適用した傘を座席２４に立掛けたときの断面の拡大図である。
【００５３】
図１１に見るように、フック状の硬質繊維３４は傘の自重により座席に食い込むように変形する。
【００５４】
このため座席２４とフック状の硬質繊維３４の間に生じる最大摩擦力は増加する。
【００５５】
このため傘はずれ落ち難くなる。
【００５６】
またフック状の硬質繊維３４は座席２４と接触するため、汚れにくく摩擦力は低下しづらい。
【００５７】
図１２に請求項３の最適の形態の拡大図を示す。
【００５８】
図１２中、３４はフック状の硬質繊維であり、布地３５に植毛されている。
【００５９】
図１３に請求項３の最適の形態を示す。
【００６０】
図１３中、３５a,３５b,３５cは、フック状の硬質繊維３４が植毛された布地であり、布地１の縁の近傍に粘着されている。
【００６１】
このようにフック状の硬質繊維３４が植毛された布地３５a,３５b,３５cを、傘を座席に立掛けたときに傘が座席と接触する位置に貼付することにより、座席との間に生じる摩擦力を増加させ、傘がずり落ちるのを防止することができる。
【実施例１】
【００６２】
フック状の硬質繊維３４の高さは、１mm程度とする。
【図面の簡単な説明】
【００６３】
【図１】請求項１の最良の形態を斜め下から見た図である。
【図２】請求項１の最良の形態を斜め上から見た図である。
【図３】防水性シート１４およびカバー１２の側面図である。
【図４】防水性シート１４およびカバー１２の断面図である。
【図５】カバー１２を取り外した請求項１の最良の形態を斜め上から見た図である。
【図６】縁止め２１の断面図である。
【図７】請求項１の使用方法を説明する図である。
【図８】表面に布地２２を付着させた防水性シート１４の側面図である。
【図９】請求項２および３の作用を説明する図である。
【図１０】請求項２の最適の形態の拡大図である。
【図１１】請求項２を適用した傘を座席２４に立掛けたときの断面の拡大図である。
【図１２】請求項３の最適の形態の拡大図である。
【図１３】請求項３の最適の形態を示す図である。
【符号の説明】
【００６４】
１    布地
２    手元
３    玉留
４    中棒
５    露先
６    受骨
７    親骨
８    上ろくろ
９    下ろくろ
１０  防水加工した布地
１１  グリップ
１２  カバー
１３  布地１０の開口部
１４  防水性シート
１５  凸型スナップボタン
１６  石突
１７  凹型スナップボタンが付いたストラップ
１８a  防水性シート１４の上辺の想像線
１８b  防水性シート１４の下辺の想像線
１９  凸型スナップボタン
２０  凹型スナップボタン
２１  縁止め
２２  布地
２３  床面
２４  座席
２５  傘の重心に加わる重力
２６  重力２５の傘に垂直な成分
２７  重力２５の傘に平行な成分
２８  座席２４に生じた重力２５の傘に垂直な成分２６の抗力
２９  床面２３に生じた重力２５の傘に垂直な成分２６の抗力
３０  座席２４に生じた摩擦力
３１  床面２３に生じた摩擦力
３２  床面２３を押す力
３３  床面２３を押す力３２の床面２３に平行な成分であり傘を滑らす力
３４  フック状の硬質繊維
３５,３５a,３５b,３５c  フック状の硬質繊維３４が植毛された布地
【図１】
2007167377.tif 000003
【図２】
2007167377.tif 000004
【図３】
2007167377.tif 000005
【図４】
2007167377.tif 000006
【図５】
2007167377.tif 000007
【図６】
2007167377.tif 000008
【図７】
2007167377.tif 000009
【図８】
2007167377.tif 000010
【図９】
2007167377.tif 000011
【図１０】
2007167377.tif 000012
【図１１】
2007167377.tif 000013
【図１２】
2007167377.tif 000014
【図１３】
2007167377.tif 000015